(57)【要約】【課題】チューナを１つしか備えていないデジタル放送を受信する情報機器であっても、チャンネルの切り替わりの待ち時間の煩わしさを低減することができるデジタル放送を受信可能な情報機器を提供する。【解決手段】チューナを１つ有し、あるチャンネルを受信しているとき、そのチャンネルの少なくとも１つのフレームをメモリに記憶しておく。そして、チャンネルの切替指示が視聴者からあると、メモリに記憶しておいたそのチャンネルのフレーム（群）を、実際の番組の表示に先立って表示する。【選択図】図２
2010081275.tif 000002
【特許請求の範囲】
【請求項１】
チューナを有し、受信しているチャンネルの番組の少なくとも１つのフレームを記憶しておき、前記チューナによって第１のチャンネルから第２のチャンネルへの切替指示が視聴者からあると、記憶しておいた前記第２のチャンネルのフレームを、前記第２のチャンネルの実際の番組の表示に先立って表示することを特徴とするデジタル放送を受信可能な情報機器。
【請求項２】
前記記憶しておいた前記第２のチャンネルのフレームの番組情報が、前記第２のチャンネルの実際の番組の番組情報と同じ場合に、前記フレームを表示することを特徴とする請求項１に記載の情報機器。
【請求項３】
前記番組情報は、EIT(Event Information Table)であることを特徴とする請求項２に記載の情報機器。
【請求項４】
チューナと、
受信しているチャンネルの番組の少なくとも１つのフレームを記憶する記憶手段と、
前記チューナによって第１のチャンネルから第２のチャンネルへの切替指示が視聴者からあると、記憶しておいた前記第２のチャンネルのフレームを、前記第２のチャンネルの実際の番組の表示に先立って表示する制御手段とを備えたことを特徴とするデジタル放送を受信可能な情報機器。
【請求項５】
前記記憶しておいた前記第２のチャンネルのフレームの番組情報が、前記第２のチャンネルの実際の番組の番組情報と同じか否か判断する判断手段を備え、同じ場合に、前記フレームを表示することを特徴とする請求項４に記載の情報機器。
【請求項６】
デジタル放送を受信可能なチューナを有する情報機器に、
受信しているチャンネルの番組の少なくとも１つのフレームを記憶する記憶ステップと、
前記チューナによって第１のチャンネルから第２のチャンネルへの切替指示が視聴者からあると、記憶しておいた前記第２のチャンネルのフレームを、前記第２のチャンネルの実際の番組の表示に先立って表示する制御ステップとを実行させることを特徴とするプログラム。
【発明の詳細な説明】
【技術分野】
【０００１】
本発明は、本発明は、デジタル放送を受信する情報機器に関し、特に、チャンネル切り替えの擬似的な高速化に関する。
【背景技術】
【０００２】
デジタル放送のチャンネル切り替えには、ある一定の時間を要する。何故ならば、通常、データをデコードする前段において、データを一旦バッファリングして、デコードするが、チャンネルを切り替える際には、バッファリングしたデータ（チャンネル切り替え前のデータ）を破棄し、新たに新しいチャンネルのデータをバッファリングするからである。
【０００３】
このような切替にかかる時間は視聴者にとって非常に煩わしいものであり、ザッピングして所望の番組を見つける際など、特に煩わしく感じさせる。
【０００４】
ここで、２つのチューナを持ち、一方のチューナである放送局の放送を受信している間、他方のチューナで、別の放送のチャンネルの番組をバッファリングしておき、チャンネルの切替があってバッファリングされているチャンネルが選択された場合、バッファリングされている映像を直ちに出力するデジタル放送受信機が特許文献１に開示されている。
【０００５】
【特許文献１】特開２００６−６７５９９号公報
【発明の開示】
【発明が解決しようとする課題】
【０００６】
しかしながら、上記特許文献１記載の技術では、受信機にチューナを複数備える必要があり、チューナが１つしかない受信機では採用できない技術である。
【０００７】
そこで、本発明は、チューナを１つしか備えていないデジタル放送を受信する情報機器であっても、チャンネルの切り替わりの待ち時間の煩わしさを低減することができるデジタル放送を受信可能な情報機器を提供することを目的とする。
【課題を解決するための手段】
【０００８】
本発明の第１のデジタル放送を受信可能な情報機器は、チューナを有し、受信しているチャンネルの番組の少なくとも１つのフレームを記憶しておき、前記チューナによって第１のチャンネルから第２のチャンネルへの切替指示が視聴者からあると、記憶しておいた前記第２のチャンネルのフレームを、前記第２のチャンネルの実際の番組の表示に先立って表示することを特徴とする。
【０００９】
本発明の第２のデジタル放送を受信可能な情報機器は、チューナと、受信しているチャンネルの番組の少なくとも１つのフレームを記憶する記憶手段と、前記チューナによって第１のチャンネルから第２のチャンネルへの切替指示が視聴者からあると、記憶しておいた前記第２のチャンネルのフレームを、前記第２のチャンネルの実際の番組の表示に先立って表示する制御手段とを備えたことを特徴とする。
【００１０】
本発明のプログラムは、デジタル放送を受信可能なチューナを有する情報機器に、受信しているチャンネルの番組の少なくとも１つのフレームを記憶する記憶ステップと、前記チューナによって第１のチャンネルから第２のチャンネルへの切替指示が視聴者からあると、記憶しておいた前記第２のチャンネルのフレームを、前記第２のチャンネルの実際の番組の表示に先立って表示する制御ステップとを実行させることを特徴とする。
【発明の効果】
【００１１】
本発明によれば、チャンネルの切り替わりの待ち時間の煩わしさを低減することができるデジタル放送を受信可能な情報機器を提供することができる。
【発明を実施するための最良の形態】
【００１２】
以下、図面を参照して本発明を実施するための最良の形態について説明する。まず、本発明の実施の形態の概略を簡単に説明すると、本実施の形態のデジタル放送を受信可能な情報機器は、チューナを１つ有し、あるチャンネルを受信しているとき、そのチャンネルの少なくとも１つのフレームを記憶しておく。そして、チャンネルの切替指示が視聴者からあると、記憶しておいたそのチャンネルのフレーム（群）を、実際の番組の表示に先立って表示するものである。なお、記憶しておいたフレームの番組情報が、実際の番組の番組情報と一致した場合にのみ、フレームを表示するとより本発明は、効果的である。
【００１３】
ここで、番組情報とは、デジタル放送のＡＲＩＢ規格上定められているEIT(Event Information Table)[Schedule]や、EIT[p/f(present/follow)]である。EIT[schedule]には、番組タイトル、放送時間等の情報が示されており、数日分の情報が示されている。EIT[p/f]は、番組の配信と同期して送信される番組情報であり、EIT[p/f]には、その番組のタイトル等、現在の番組に関する情報と、次の番組に関する情報が示されている。以下、詳細に説明する。
【００１４】
図１は、本実施の形態の情報機器の構成図である。図１を参照すると、情報機器１０は、ＴＳデータを受信するチューナ１１、チャンネル解析部１２、デコード処理部１３メモリ１４、及び、表示制御部１５を有している。メモリ１４は、フレームバッファ１６が構築され、また、バッファ情報テーブルを格納している。表示制御部１５は、切替制御部１７を有している。切替制御部１７は、所定のプログラムを実行している。
【００１５】
次に、本実施の形態の情報機器１０の動作を説明する。
【００１６】
図２は、本実施の形態の情報機器１０の動作を説明するためのフローチャートである。
【００１７】
図２を参照すると、ユーザーがチャンネル切替操作を行うと（ステップＳ１）、チューナ１１は、受信する放送ＴＳデータを切替える。
【００１８】
そして、チャンネル解析部１２は、ＴＳデータ内のＳＩ部を解析し、チャンネル切替を検知する。さらに、チャンネル解析部１２は、データから、チャンネル番号、EITデータより番組タイトルを取得し、これらを切替制御部１７へ通知する（ステップＳ２）。
【００１９】
切替制御部１７は、図３にその一例を示すバッファ情報テーブル内の通知されたチャンネル番号の行を参照し、テーブル内に番組タイトル、及び、バッファ番号が保存されている場合、切替代画ありと判断する（ステップＳ３）。
【００２０】
ステップＳ３の判断において、切替代画あり、と判断した場合、切替制御部１７は、バッファ情報テーブルに保存された番組タイトルと、チャンネル解析部とから通知された番組タイトルとを比較する。すなわち、同一番組であるか否かを判断する（ステップＳ４）。
【００２１】
ステップＳ４の判断において、同一番組と判定された場合、切替制御部１７の制御の元、表示制御部１５は、番組再生開始まで、切替代画（映像）としてそのバッファ番号の画（映像）をディスプレイに表示する（ステップＳ５）。
【００２２】
一方、ステップＳ４の判断において、同一番組で無い場合には、切替代画が古いため、フレームバッファからその画を削除する。具体的には、バッファ情報テーブルの該当チャンネルの行のデータを初期化する（ステップＳ６）。
【００２３】
動画の再生に十分なデータがメモリ１４に蓄積でき次第、表示制御部１５は、動画再生を開始する。すなわち、切替制御部１７は、切替代画の代わりに動画を再生するよう表示制御部１５を制御する（ステップＳ７）。
【００２４】
なお、動画再生中、切替制御部１７は、通知される番組タイトルと再生中に表示した直近のバッファ番号とを、バッファ情報テーブル内の現在視聴中のチャンネル番号の行に常時更新保存する。
【００２５】
また、動画再生時とバッファ情報テーブルとの関係について簡単に説明すると、一般的にデコード処理部より生成された画を保存するフレームバッファは有限であり、動画再生中、新しくデコードされた画が、表示済みとなったバッファの中で最も古いものに上書され、バッファが再利用される。本実施の形態では、バッファ情報テーブルを作成し、テーブル内のバッファ番号の列で保存されているバッファは、デコード時に上書き対象とせず、バッファの再利用の順番からはずす。これにより、前述した切替代画は、バッファ内に消されること無く確保され続ける。このように制御することにより、チャンネル切替時、切替制御部１７が、バッファ情報テーブルを参照し、切替代画のバッファ番号を取得し、表示させることができる。なお、バッファとは別のメモリ内に、コピーして保存する方法等も考えられる。
【００２６】
このように、本実施の形態の情報機器は、ユーザが、機器のチューナが１つであっても、チャンネルを切り替えると、実際の番組に先立って、切替代画が表示され、しかも、この切替代画は、所望のチャンネルと同じ番組であるため、ユーザがザッピングなどする際、現在放送中の番組を容易に把握することに貢献する。
【００２７】
つまり、本実施の形態の情報機器は、デジタル放送のチャンネル切替待機時間において、切替先チャンネル番組内容の視覚的内容把握をなるべく可能とし、チャンネル切替レスポンス向上と同様の効果を得ることに貢献することができる。
【図面の簡単な説明】
【００２８】
【図１】情報機器１０の構成図である。
【図２】情報機器１０の動作を説明するためのフローチャートである。
【図３】バッファ情報テーブルの一例である。
【符号の説明】
【００２９】
１０  情報機器
１１  チューナ
１２  チャンネル解析部
１３  デコード処理部
１４  メモリ
１５  表示制御部
１６  フレームバッファ
１７  切替制御部
【図１】
2010081275.tif 000003
【図２】
2010081275.tif 000004
【図３】
2010081275.tif 000005